(57)【要約】【課題】  簡便な操作で設置可能なハンドリフトに適した車輪止めを提供する。【解決手段】  小型の搬送用器具であるハンドリフトの自走を制止させるハンドリフトストッパー１０であって、ハンドリフトの操舵輪の水平方向への回動を規制する横回転止め部１１と、操舵輪の回転を規制する一対の縦回転止め部１２とを備え、横回転止め部１１と一対の縦回転止め部１２とが平面視でコの字型に一体化されており、横回転止め部１１の底面が開放されて空隙部１６が形成され、縦回転止め部１２の底面が開放されて空隙部１７が形成されている。【選択図】図３
2019073166.tif 000002
【特許請求の範囲】
【請求項１】
小型の搬送用器具であるハンドリフトの自走を制止させるハンドリフトストッパーであって、
ハンドリフトの操舵輪の水平方向への回動を規制する横回転止め部と、
前記操舵輪の回転を規制する一対の縦回転止め部とを備え、
前記横回転止め部と前記一対の縦回転止め部とが平面視でコの字型に一体化されている
ことを特徴とするハンドリフトストッパー。
【請求項２】
前記横回転止め部の底面および前記縦回転止め部の底面が開放され、それぞれ空隙部が形成されている
ことを特徴とする請求項１記載のハンドリフトストッパー。
【請求項３】
前記横回転止め部は、
ハンドリフトの操舵輪の水平方向への回動を規制する壁面と、
側面視で前記壁面と共に鉤型を構成する上面とで構成され、
前記上面の表面に操作者が把持するための把持部を備える
ことを特徴とする請求項１又は２記載のハンドリフトストッパー。
【請求項４】
前記縦回転止め部は、
側方向の断面視で、幅方向中央を頂点とする山型の断面形状を有している
ことを特徴とする請求項１〜３のいずれか１項に記載のハンドリフトストッパー。
【発明の詳細な説明】
【技術分野】
【０００１】
本発明は、ハンドリフトやハンドフォーク等の搬送用器具の車輪止めに関する。
【背景技術】
【０００２】
倉庫内や工場内の重量物の運搬にフォークリフトが用いられている。しかしながら、フォークリフトの操作には運転技能講習を修了しなければならず、また、狭い場所での利用が困難であるということから、ハンドリフトやハンドフォークといった小型の搬送用器具が用いられる機会が増えている。なお、この小型の搬送用器具は、ハンドパレットトラック、パレットジャッキ等と呼ばれることもあるが、ここでは総称して「ハンドリフト」ということにする。
【０００３】
ハンドリフトは、一対のフォークアーム、フォークアームを昇降させる昇降駆動装置を備えた本体フレーム、ハンドリフトを操作するためのハンドル、フォークアームの先端に取り付けられる前輪、および、操舵輪となる後輪で構成されている。操舵輪である後輪はハンドル操作によって動き、小回り性能を確保するため水平方向に３６０度回動可能にしているものが多い。
【０００４】
ハンドリフトを倉庫内や工場内で駐車するときには、自走事故を防止するため後輪に車輪止め（ストッパー）が付けられる。このような車輪を有した小型機器等の車輪止めについては、これまでに種々の提案がなされている。例えば、特許文献１では、１対のストッパー部材と、ストッパー部材を直線状に近接離間方向に移動させ得る移動案内手段と、離隔移動規制手段と、から構成され、床面や地面上に接地した車輪のトレッド面を両側から挟み込むように両ストッパー部材を移動させて、離隔移動規制手段によって、両ストッパー部材を固定状態にし、小型機器等の車輪を固定する小型機器等の車輪の車止め装置が開示されている。
【先行技術文献】
【特許文献】
【０００５】
【特許文献１】実用新案登録第３０８３６６６号公報
【発明の概要】
【発明が解決しようとする課題】
【０００６】
しかしながら、上記の車止め装置では、一対のストッパーで車輪の回転を制止することは可能であるが、ハンドリフトの後輪における水平方向への回動を制止することができない。
【０００７】
また、車輪止めを設置するにあたって、両側から挟み込むようにストッパー部材を移動させて離隔移動規制手段によってストッパー部材を固定状態にするという操作をしなければならず、設置作業の工程も煩雑になっている。
【０００８】
そこで、本発明は、上記のような問題点に鑑みなされたものであり、簡便な操作で設置可能なハンドリフトに適した車輪止めを提供することを目的とする。
【課題を解決するための手段】
【０００９】
上記の課題を解決するため、本発明に係るハンドリフトストッパーは、小型の搬送用器具であるハンドリフトの自走を制止させるハンドリフトストッパーであって、ハンドリフトの操舵輪の水平方向への回動を規制する横回転止め部と、前記操舵輪の回転を規制する一対の縦回転止め部とを備え、前記横回転止め部と前記一対の縦回転止め部とが平面視でコの字型に一体化されていることを特徴とする。
【００１０】
これによれば、水平方向への回動を規制する横回転止め部と回転を規制する一対の縦回転止め部とが一体化されているので、ハンドリフトの後輪へ差し込むという簡便な操作で設置可能であり、小回り性能を確保すべく水平方向にも回動する後輪に適した車輪止めが実現される。
【００１１】
ここで、前記横回転止め部の底面および前記縦回転止め部の底面が開放され、それぞれ空隙部が形成されているのが好ましい。
【００１２】
これによれば、ストッパーを後輪へ差し込む際の抵抗が少なく、簡便な操作で設置可能なハンドリフトストッパーとなる。
【００１３】
また、前記横回転止め部は、ハンドリフトの操舵輪の水平方向への回動を規制する壁面と、側面視で前記壁面と共に鉤型を構成する上面とで構成され、前記上面の表面に操作者が把持するための把持部を備えるのが好ましい。
【００１４】
これによれば、操作者は把持部を把持してハンドリフトストッパーをハンドリフトの後輪へ差し込むことができるので、設置作業がより容易になる。
【００１５】
さらに、前記縦回転止め部は、側方向の断面視で、幅方向中央を頂点とする山型の断面形状を有しているのが好ましい。
【００１６】
これによれば、山型の両端裾部のみが地面に接触し底面は開放されているので、地面との接触面積を減じてハンドリフトストッパーを後輪へ差し込む際の抵抗を減らすことができる。
【発明の効果】
【００１７】
以上のように、本発明に係るハンドリフトストッパーによれば、水平方向への回動を規制する横回転止め部と回転を規制する一対の縦回転止め部とを平面視でコの字型に一体化しているので、ハンドリフトの後輪へ差し込むという簡便な操作で設置可能で、水平方向にも回動する後輪の制止も可能なストッパーが実現できる。また、底面を開放して空隙にしているので、ストッパーを後輪へ差し込む際の抵抗が少なくなり、ストッパーの設置をスムーズに行うことができる。
【図面の簡単な説明】
【００１８】
【図１】ハンドリフトとハンドリフトストッパーとを示す図である。
【図２】図１のハンドリフト後輪部分の拡大図である。
【図３】ハンドリフトストッパーの斜視図である。
【図４】ハンドリフトストッパーの側面図である。
【図５】図４のＡ−Ａ線断面図である。
【図６】縦回転止め部における別の断面形状を示す図である。
【発明を実施するための形態】
【００１９】
以下、本発明に係るハンドリフトストッパーについて図を参照しながら説明する。
【００２０】
図１は、ハンドリフトとハンドリフトストッパーとを示す図であり、図２は、ハンドリフト後輪部分の拡大図である。
【００２１】
ハンドリフト１は、荷物を搭載するためのパレットに差し入れる一対のフォークアーム３と、フォークアーム３を昇降させる昇降駆動装置を備えた本体フレーム５と、ハンドリフト１を操作するためのハンドル２と、フォークアーム３の先端下側に取り付けられる前輪４と、操舵輪となる後輪６とを備えた小型の搬送用器具である。ハンドリフト１では、従来と同様に、ハンドル２を操作してフォークアーム３を上昇させ、ハンドル２に備えられたレバーや足元のペダルの操作でフォークアーム３を下降させるようになっている。操舵輪である後輪６は複数（通常は２つ）の車輪で構成されており、ハンドル２の操作によって動き、小回り性能を確保するため水平方向に３６０度回動可能になっている。
【００２２】
本実施形態のハンドリフトストッパー１０は、このハンドリフト１の後輪６の回転と水平方向への回動を制止する車輪止めである。
【００２３】
図３は、ハンドリフトストッパー１０の斜視図である。
【００２４】
ハンドリフトストッパー１０は、全体が平面視でコの字型に形成され、横回転止め部１１と、横回転止め部１１から平行に延びる一対の縦回転止め部１２とを備え、鉄等の金属で構成された車輪止め装置である。
【００２５】
横回転止め部１１は、ハンドリフトストッパー１０がハンドリフト１の後輪６へ差し込まれたときに後輪６の水平方向への回動を制止する。後輪６の水平方向への回動を制止するのは、縦回転止め部１２が取り付けられている壁面である。また、横回転止め部１１の上面には、操作者がハンドリフトストッパー１０をハンドリフト１の後輪６へ差し込みやすくするための把持部１３が取り付けられている。
【００２６】
図４は、ハンドリフトストッパー１０の側面図である。
【００２７】
横回転止め部１１は、後輪６の水平方向への回動を制止する壁面１４と、把持部１３が取り付けられる上面１５とを鉤型に配置して構成され、壁面１４と対向する面および底面は備えず、空隙部１６を形成している。このように、壁面１４のみを地面に接触させ、底面を開放して空隙部１６を形成し地面との接触面積を減ずることにより、ハンドリフトストッパー１０を後輪６へ差し込む際の抵抗を減らし設置作業の負担を軽減している。なお、壁面１４の高さは、ハンドリフト１の後輪６の径に合わせて設定されており、後輪６の径が１００ｍｍ〜２００ｍｍの場合は、壁面１４の高さを３０ｍｍ〜５０ｍｍとするのが好ましい。
【００２８】
縦回転止め部１２は、ハンドリフトストッパー１０がハンドリフト１の後輪６へ差し込まれたときに後輪６の回転を制止する。縦回転止め部１２は、後輪６の前転を制止する部材と後輪６の後転を制止する部材とが一対となって横回転止め部１１から平行に延びており、横回転止め部１１の壁面１４に溶接等により一体化されている。
【００２９】
図５は、図４のＡ−Ａ線断面図である。
【００３０】
縦回転止め部１２は、幅方向中央を頂点とする山型の断面形状で構成され、底面を備えずに空隙部１７を形成している。このように、山型の両端裾部のみを地面に接触させ、底面を開放して空隙部１７を形成し地面との接触面積を減ずることにより、ハンドリフトストッパー１０を後輪６へ差し込む際の抵抗を減らし設置作業の負担を軽減している。なお、一対となった縦回転止め部１２同士の間隔（それぞれの中央の頂点同士の間隔）は、ハンドリフト１の後輪６の径に合わせて設定される。後輪６の径が１００ｍｍ〜２００ｍｍの場合、一対の縦回転止め部１２の間隔も後輪６の径に合わせて１００ｍｍ〜２００ｍｍとするのが好ましい。また、縦回転止め部１２の長さは後輪６の幅と後輪６の数に合わせて設定され、一般的な２つの車輪で後輪６が構成される場合は２００ｍｍ程度に設定するのが好ましい。
【００３１】
縦回転止め部１２の側方向の断面形状は、幅方向中央を頂点とする山型でなくてもよい。
【００３２】
図６は、縦回転止め部における別の断面形状を示す図である。
【００３３】
縦回転止め部１８は、後輪６と接触する面を傾斜面とし、後輪６と接触しない面の側に頂点を偏移させた山型形状としている。この縦回転止め部１８においても、上記した縦回転止め部１２と同様に、底面を開放して空隙部１９が形成されているので、同様の効果を奏する。
【００３４】
以上のように構成されたハンドリフトストッパー１０は、ハンドリフト１の後輪６に差し込まれると、横回転止め部１１で後輪６の水平方向への回動を制止し、縦回転止め部１２で後輪６の回転を制止する。横回転止め部１１と一対の縦回転止め部１２とにより、後輪６の縦回転と横回転とを規制するので、ハンドリフト１に適した車輪止めとなる。また、横回転止め部１１と一対の縦回転止め部１２とは一体化されており、一対の縦回転止め部１２同士の間隔は、後輪６の径に合わせて設定されているので、ハンドリフトストッパー１０はハンドリフト１の後輪６に差し込むだけという簡便な操作で設置可能である。さらに、横回転止め部１１および縦回転止め部１２の底面は開放されているので、後輪６へ差し込む際の地面との摩擦が少ない。そのため、設置作業の負担が少なくなるだけでなく、抜き差しの際に騒音を発生させたり地面を摩滅させたりするおそれも少なくすることができる。
【００３５】
このように本発明に係るハンドリフトストッパーによれば、水平方向への回動を規制する横回転止め部と回転を規制する一対の縦回転止め部とを平面視でコの字型に一体化しているので、ハンドリフトの後輪へ差し込むという簡便な操作で設置可能で、小回り性能を確保すべく水平方向にも回動可能なハンドリフトの後輪に適した車輪止めとなる。また、横回転止め部および縦回転止め部の底面を開放して空隙にしているので、ストッパーを後輪へ差し込む際の抵抗が少なく、容易に設置することができる。
【００３６】
以上、本発明に係るハンドリフトストッパーについて、実施の形態に基づいて説明したが本発明はこれに限定されるものではなく、本発明の目的を達成でき、かつ発明の要旨を逸脱しない範囲内で種々設計変更が可能であり、それらも全て本発明の範囲内に包含されるものである。
【００３７】
例えば、上記実施の形態では、ハンドリフトストッパーを金属製としたが、木製としてもよく、硬質材料であれば熱硬化性樹脂等を用いてもよい。
【００３８】
また、上記実施の形態では、横回転止め部について側面視で壁面と上面とが鉤型を構成する例を示しているが、底面を開放するものであれば足り、側面視で上面裏側から壁面裏側に補強用の梁がかけられているような構成としてもよいし、壁面だけで横回転止め部を構成するとしてもよい。
【００３９】
同様に、縦回転止め部についても、断面視で山型としているが、底面を開放するものであれば足り、断面視でコの字を横にした構成としてもよいし、補強用の梁をかけて断面視でアルファベットのＡの文字のような構成としてもよい。また、後輪と接触する傾斜面だけで縦回転止め部を構成するとしてもよい。
【産業上の利用可能性】
【００４０】
本発明に係るハンドリフトストッパーは、ハンドリフトやハンドフォークといった小型の搬送用器具等の車輪止めとして有用である。
【符号の説明】
【００４１】
１    ハンドリフト
２    ハンドル
３    フォークアーム
４    前輪
５    本体フレーム
６    後輪
１０    ハンドリフトストッパー
１１    横回転止め部
１２，１８    縦回転止め部
１３    把持部
１４    壁面
１５    上面
１６，１７，１９    空隙部
【図１】
2019073166.tif 000003
【図２】
2019073166.tif 000004
【図３】
2019073166.tif 000005
【図４】
2019073166.tif 000006
【図５】
2019073166.tif 000007
【図６】
2019073166.tif 000008